(57)【要約】【課題】送配電線に取り付けられた絶縁カバーの口開きやカバーのずれなどに起因する充電部の露出をなくし、充電部の露出に起因する送配電線事故の発生を抑制することが可能な絶縁カバー装置を提供する。【解決手段】ヒンジ部７を支点に開閉自在に回動可能な対をなすカバー部材５，６を備えたカバー本体１と、連結された相互に向き合う一対の挟持片９，１０を備えるカバー装着用クリップ２とを有し、カバー装着用クリップ２をカバー本体１に対してスライドさせて装着させることで対をなすカバー部材５，６を挟持片９，１０によって挟み込む。カバー装着用クリップ２に連結されると共に、送配電線３に装着可能な電線装着用クリップ４を更に備える。【選択図】      図１
2008263664.tif 000002
【特許請求の範囲】
【請求項１】
送配電線の所定箇所を絶縁カバーするために用いられる絶縁カバー装置において、ヒンジ部を支点に開閉自在に回動可能な対をなすカバー部材を備えたカバー本体と、連結された相互に向き合う一対の挟持片を備えるカバー装着用クリップとを有し、前記カバー装着用クリップを前記カバー本体にスライドさせて装着させることにより前記対をなすカバー部材を前記挟持片により挟み込むようにしたことを特徴とする絶縁カバー装置。
【請求項２】
前記カバー装着用クリップに連結されると共に、前記送配電線に装着可能な電線装着用クリップを更に備えることを特徴とする請求項１記載の絶縁カバー装置。
【請求項３】
前記カバー装着用クリップの一対の挟持片は、薄板状に形成されると共にそれぞれの自由端部に互いに外側へ向いた拡開誘導部を備え、前記カバー装着用クリップは、前記カバー本体を前記拡開誘導部間から前記一対の挟持片間に収容するよう前記カバー本体にスライドさせて前記対をなすカバー部材を前記挟持片により弾性的に挟持するものであることを特徴とする請求項１記載の絶縁カバー装置。
【請求項４】
前記カバー装着用クリップは、取り付けられる送配電線に対して軸方向にスライド可能であり、前記カバー本体に装着させるスライド方向に対して後方側へ向かうにつれて前記一対の挟持片の間隔が狭められており、前記カバー本体を前記軸方向から前記一対の挟持片間に収容するよう前記カバー本体にスライドさせて前記対をなすカバー部材を前記挟持片により挟持するものであることを特徴とする請求項１記載の絶縁カバー装置。
【請求項５】
前記カバー装着用クリップは、前記カバー本体に対して変位可能に一体的に取り付けられていることを特徴とする請求項１記載の絶縁カバー装置。
【請求項６】
前記カバー装着用クリップを所定の装着方向へ案内するガイド手段が設けられていることを特徴とする請求項１記載の絶縁カバー装置。
【請求項７】
前記電線装着用カバー部材は、異なる電線の径に合わせた把持部が複数形成されていることを特徴とする請求項２記載の絶縁カバー装置。
【発明の詳細な説明】
【技術分野】
【０００１】
本発明は、送配電線の分岐部や引き留め部、露出充電部などを絶縁カバーするために取り付けられる絶縁カバー装置に関する。
【背景技術】
【０００２】
電柱などに架設された送配電線の分岐部や引き留め部などには、送配電線や高圧引留クランプを絶縁カバーするための絶縁カバーが取り付けられている。また、送配電線に対して活線作業を行うとき、送配電線の一部の絶縁被覆を剥ぎ取って充電部（導体部）を露出させ、この露出された充電部に接地短絡器具などを取り付けるが、作業が終了して接地短絡器具を取り外した後には、露出充電部を筒状の絶縁カバーで覆うようにしている。
【０００３】
従来、このような絶縁カバーとしては、例えば、特許文献１で示されるような分岐スリーブカバーや、特許文献２で示されるような引留クランプカバー、特許文献３で示されるような露出充電部を覆う絶縁電線カバーなどが公知となっている。
【０００４】
このうち、特許文献１に示される分岐スリーブカバーは、ヒンジ部を支点に開閉自在な二つ割り部材を合わせてＴ字形筒状に形成された可撓性のケーシングを有し、このケーシングの開口縁部にボタンとボタン孔とからなる閉塞手段を設けるようにしたものである。
【０００５】
また、特許文献２に示される引留クランプカバーは、二つ割りに形成された左右体の上辺部を連結し、この上辺部を薄肉に形成して左右体を折り畳み可能とし、左右体の一方には開口部の近傍に凸ホックを形成し、左右体の他方には開口部の近傍に前記凸ホックと嵌合する凹ホックを形成するようにしたものである。
【０００６】
さらに、特許文献３に示される絶縁電線カバーは、ヒンジ部を支点に開閉自在な一対のカバー部材と、この一対のカバー部材の各下端に対向するように設けられた一対の鍔部と、この鍔部の一方に形成された係止ボタンと、他方の鍔部に形成された段付孔とからなる係止手段を有して構成するようにしたものである。
【特許文献１】特開平８−８８９３１号公報
【特許文献２】特開平２０００−１５２４７２号公報
【特許文献３】特開平２００７−６６５５号公報
【発明の開示】
【発明が解決しようとする課題】
【０００７】
しかしながら、上述の絶縁カバーにおいては、ヒンジによって結合された対をなすカバー部材を開口部の周縁に係止手段を設けて構成するようにしたものであるが、風などにより電線が振動すると、この振動に起因して係止部分が外れ、充電部が露出する不都合がある。このような充電部の露出は、鳥獣による地絡等の送配電線事故を引き起こす原因となる。また、電線の振動等により絶縁カバーがずれて充電部が露出することにより同様の送配電線事故を引き起こすことも想定される。特に絶縁カバーにおいては、送配電線の軸方向に対して移動しやすい構成であるため、位置ずれが一層懸念される。
【０００８】
本発明は係る事情に鑑みてなされたものであり、送配電線に取り付けられた絶縁カバーの口開きやカバーのずれなどに起因する充電部の露出をなくし、充電部の露出に起因する送配電線事故の発生を抑制することができる絶縁カバー装置を提供することを主たる課題としている。
【課題を解決するための手段】
【０００９】
上記課題を達成するために、この発明に係る絶縁カバー装置は、送配電線の所定箇所を絶縁カバーするために用いられる絶縁カバー装置であって、ヒンジ部を支点に開閉自在に回動可能な対をなすカバー部材を備えたカバー本体と、連結された相互に向き合う一対の挟持片を備えるカバー装着用クリップとを有し、前記カバー装着用クリップを前記カバー本体にスライドさせて装着させることにより前記対をなすカバー部材を前記挟持片により挟み込むようにしたことを特徴としている。
【００１０】
したがって、対をなすカバー部材をヒンジ部を支点として開いて送配電線の所望箇所（分岐部、引き留め部、露出充電部等）へ持っていき、この箇所を覆うように挟み込んで取付けた後、カバー装着用クリップをスライドさせてカバー本体に装着させることにより対をなすカバー部材を挟持片により挟み込むようにしたので、電線が振動しても、対をなすカバー部材はカバー装着用クリップによって開くことがなくなる。
【００１１】
上述の構成において、前記カバー装着用クリップに連結されると共に、前記送配電線に装着可能な電線装着用クリップを更に備えるようにしてもよい。
このような構成によれば、カバー本体が電線の振動等で位置ずれして充電部が露出する不都合もなくなる。
【００１２】
上述したカバー装着用クリップの態様としては、カバー装着用クリップの一対の挟持片を薄板状に形成すると共にそれぞれの自由端部に互いに外側へ向いた拡開誘導部を設け、前記前記カバー装着用クリップを、前記カバー本体を前記一対の挟持片間に前記拡開誘導部間から収容するよう前記カバー本体にスライドさせて前記対をなすカバー部材を挟持片により弾性的に挟持する構成としても、カバー装着用クリップを、それが取り付けられる送配電線に対して軸方向にスライド可能とし、カバー本体に装着させるスライド方向に対して後方側へ向かうにつれて前記一対の挟持片の間隔が狭められており、前記カバー本体を前記軸方向から前記一対の挟持片間に収容するよう前記カバー本体にスライドさせて前記対をなすカバー部材を前記挟持片により挟持する構成としてもよい。
【００１３】
また、絶縁カバー装置は、前記カバー装着用クリップを、前記カバー本体に対して変位可能に一体的に取り付けるものであっても、前記カバー装着用クリップを所定の装着方向へ案内するガイド手段を設けるようにしてもよい。さらに、前記電線装着用カバー部材は、異なる電線の径に合わせた把持部が複数形成されるものであってもよい。
尚、上述した構成においては、間接活線作業を行うために、前記拡開誘導部を間接活線工具によって把持できる大きさに形成することが好ましい。
【発明の効果】
【００１４】
以上述べたように、本発明によれば、対をなすカバー部材をヒンジ部を支点として開いて送配電線の所望箇所（分岐部、引き留め部、露出充電部等）を覆うように挟み込んで取付け、しかる後に、カバー装着用クリップをスライドさせてカバー本体に装着させることで、カバー本体の対をなすカバー部材をカバー装着用クリップの挟持片により挟み込むようにしたので、電線が振動しても、対をなすカバー部材が開くことがなくなり、カバー本体の口開きによる充電部の露出がなくなる。このため、充電部の露出に起因する鳥獣による地絡等の送配電線事故の発生を抑制することが可能となる。しかも、カバー本体に対してカバー装着用クリップをスライドさせて取り付けるようにしたので、間接活線工具を用いた作業が容易となる。
【００１５】
また、カバー装着用クリップに連結されて送配電線に装着可能な電線装着用クリップを更に設けるようにすれば、カバー本体の位置ずれもなくなり、位置ずれによる充電部の露出もなくなる。
【００１６】
カバー本体にカバー装着用クリップをスライドさせて取り付ける構成としては、カバー装着用クリップの一対の挟持片を薄板状で形成すると共にそれぞれの自由端部に互いに外側へ向いた拡開誘導部を設け、カバー本体を一対の挟持片間に拡開誘導部間から収容するよう前記カバー装着用クリップをカバー本体にスライドさせて対をなすカバー部材を挟持片により弾性的に挟持する構成であっても、カバー装着用クリップを、それが取り付けられる送配電線に対して軸方向にスライド可能にすると共に、カバー本体に装着させるスライド方向に対して後方側へ向かうにつれて前記一対の挟持片の間隔を狭め、カバー部材に対して軸方向にスライドさせることで対をなすカバー部材を挟持片により挟持する構成であってもよく、いずれの構成においてもカバー本体に対してカバー装着用クリップの着脱を間接活線工具により容易に行うことが可能となる。
【００１７】
また、カバー装着用クリップを、カバー本体に対して変位可能に一体的に取り付けるようにすれば、カバー本体をカバー装着用クリップと共に送配電線の分岐部や引き留め部、露出充電部などに取り付けることが可能となるので、絶縁カバーの付設作業が容易になると共に作業効率を高めることが可能となる。
【００１８】
さらに、カバー本体にカバー装着用クリップを所定の装着方向へ案内するガイド手段を設けるようにすれば、カバー装着用クリップの位置決めが可能となると共に装着位置を誤ることがなくなる。
【００１９】
また、電線装着用カバー部材は、異なる電線の径に合わせた把持部を複数形成するようにすれば、電線の種類が異なっても電線装着用カバー部材を送配電線に固定させることが可能となるので、カバー本体の位置ずれによる充電部の露出を送配電線の種類に拘わらず回避することが可能となる。
【発明を実施するための最良の形態】
【００２０】
以下、本発明の最良の実施形態を添付図面を参照しながら説明する。
【００２１】
図１において、本発明に係る絶縁カバー装置の実施形態が示されている。この絶縁カバー装置は、送配電線の所定箇所をカバーするカバー本体１とカバー本体１に装着されるカバー装着用クリップ２と送配電線３に装着される電線装着用クリップ４とにより構成されている。この例においては、カバー本体１は、送配電線３の図示しない分岐部を覆う絶縁性の分岐スリーブカバーとして構成されており、絶縁性の樹脂材料からなる半割筒状の一対のカバー部材５，６を上端部のヒンジ部７を支点として開閉自在に連結して構成されている。各カバー部材５，６は、送配電線３の電線分岐部を囲う筒状形状部を縦に二分割した半筒状の分岐部収容壁５ａ，６ａと、この分岐部収容壁５ａ，６ａの両側縁に延設されて送配電線３の出入口となる筒状形状部を縦に二分割した半筒状の電線挿通壁５ｂ，５ｃ，６ｂ，６ｃとが一体に形成されている。
【００２２】
一対のカバー部材５，６の各下端には、互いに対向する鍔部５ｄ，６ｄが形成され、この鍔部には、互いのカバー部材５，６を結合させる係止手段を設けるようにしてもよいが、この例においては、係止手段は特に設けられていない。
【００２３】
カバー装着用クリップ２は、図２（ａ）にも示されるように、一端が断面Ｕ字状の連結部８により連結された相互に向き合う一対の挟持片９、１０を備え、この一対の挟持片９，１０は、薄板状に形成されると共にそれぞれの自由端部に互いに外側へ向いた拡開誘導部９ａ，１０ａが一体に形成されている。この対をなす拡開誘導部９ａ，１０ａは、外側から拡開誘導部間に押圧力が付勢されると、互いに離反する方向へ弾性的に押し広げられるようになっており、挟持辺９ａ，９ｂの連結部８と拡開誘導部９ａ，１０ａとの間には、カバー本体１を挟み込むことができるように湾曲された収容部９ｂ，１０ｂが形成されている。
尚、拡開誘導部９ａ，１０ａは、間接活線工具によって把持可能な大きさに形成されており、好ましくは、先端に外側へ屈曲されたフランジ部９ｃ、１０ｃを形成して把持しやすくしてある。
【００２４】
電線装着用クリップ４は、図２（ｂ）にも示されるように、一端が断面Ｕ字状の連結部１１により連結された相互に向き合う一対の挟持片１２，１３を備え、この一対の挟持片１２，１３は、薄板状に形成されると共にそれぞれの自由端部に互いに外側へ向いた拡開誘導部１２ａ，１３ａが形成されている。この対をなす拡開誘導部１２ａ，１３ａは、外側から拡開誘導部間に押圧力が付勢されると、互いに離反する方向へ弾性的に押し広げられるようになっており、挟持辺１２，１３の連結部１１と拡開誘導部１２ａ，１３ａとの間には、異なる電線の径に対応できるように、曲率半径の異なる複数の対をなす把持部１２ｂ，１２ｃ，１２ｄ，１３ｂ，１３ｃ，１３ｄが形成されている。この例においては、それぞれの挟持片１２，１３に半筒状の把持部が連結部１１から自由端にかけて曲率半径の小さい順に複数形成されている。例えば、２５ｓｑの電線に対応した半筒面状の把持部１２ｂ，１３ｂが連結部１１の最も近傍に形成され、これに続いて５８ｓｑ、２００ｓｑの電線に対応した半筒面状の把持部１２ｃ，１２ｄ，１３ｃ，１３ｄが連結部１１から遠ざかる位置に順次形成され、２００ｓｑの電線に対応した半筒面状の把持部１２ｄ，１３ｄの開放端に前記拡開誘導部１２ａ，１３ａが形成されている。
尚、拡開誘導部１２ａ，１３ａは、間接活線工具によって把持可能な大きさに形成されており、好ましくは、先端に外側へ屈曲されたフランジ部１２ｅ、１３ｅを形成して把持しやすくしてある。
【００２５】
そして、カバー装着用クリップ２と電線装着用クリップ４のそれぞれの上端部には、図２（ｃ）にも示されるように、連結用突出部１５，１６が形成され、これらの連結用突出部１５，１６がゴム状又はバネ状の連結部材１７によって連結されている。
【００２６】
以上の構成において、送配電線３の分岐部にこの絶縁カバー装置を取り付けるには、先ず、カバー本体１を開いて（カバー部材５，６をヒンジ部７を支点として開くように回動させて）、間接活線工具（絶縁ヤットコ）２０で把持して分岐部へ持っていき、分岐部収容壁５ａ，６ａ間に分岐部を収容すると共に電線挿通壁５ｃ、６ｃ間に送配電線３を収容するようにカバー本体を閉じる（カバー部材５，６をヒンジ部７を支点として回動させて閉じる）。
【００２７】
次に、カバー装着用クリップ２の一方の挟持片９の拡開誘導部９ａを間接活線工具（絶縁ヤットコ）２０で把持して、図３に示されるように、カバー本体１の上方から拡開誘導部９ａ，１０ａをカバー本体１にあてがい、その状態で間接活線工具（絶縁ヤットコ）２０を下方に引き下げてカバー装着用クリップ２をカバー本体１に上方から押し付ける。すると、カバー装着用クリップ２の拡開誘導部９ａ，１０ａは押し広げられ、その状態でカバー装着用クリップ２がケース本体１の側面を下方へスライドし、ケース本体１が拡開誘導部９ａ，１０ａ間から収容部９ｂ，１０ｂ間へ相対的に移動してこの収容部９ｂ，１０ｂ間に収容され、対をなすカバー部材５，６が挟持片９，１０によって挟み込まれる。
【００２８】
また、電線装着用クリップ４の一方の挟持片１２の拡開誘導部１２ａを絶縁ヤットコで把持して送配電線３の上方から拡開誘導部１２ａ，１３ａを送配電線３にあてがい、その状態で絶縁ヤットコを下方に引き下げて電線装着用クリップ４を送配電線３に上方から押し付ける。すると、電線装着用クリップ４の拡開誘導部１２ａ．１３ａは押し広げられ、送配電線３が拡開誘導部１２ａ，１３ａから送配電線３の径に合ったいずれかの把持部１２ｂ，１２ｃ，１２ｄ，１３ｂ，１３ｃ，１３ｄへ相対的に移動し、この把持部によって送配電線３が挟み込まれる。
【００２９】
したがって、上述の構成においては、カバー装着用クリップ２をカバー本体１にスライドさせて対をなすカバー部材５，６を挟持片９，１０により挟み込むようにしたので、送配電線３が風などによって振動しても、対をなすカバー部材５，６はカバー装着用クリップ２によって開くことがなくなり、充電部が露出することがなくなる。このため、充電部の露出に起因する鳥獣による地絡等の送配電線事故の発生を抑制することが可能となる。しかも、カバー本体１に対してカバー装着用クリップ２をスライドさせて取り付けるようにしたので、間接活線作業が容易となる。
【００３０】
また、カバー装着用クリップ２に連結された電線装着用クリップ４が送配電線３に装着されているので、カバー本体１の位置ずれもなくなり、カバー本体１の位置ずれによる充電部の露出もなくなる。
【００３１】
以上は、本装置を、送配電線３の分岐部を覆う絶縁性の分岐スリーブカバーに適用した例であるが、図４に示されるように、露出充電部を覆う絶縁電線カバーに適用した場合も同様の構成を採用するようにしてもよい。特に、絶縁電線カバーが同図に示されるようにスリーブ状のカバー本体１である場合には、送配電線３の軸方向の力に対して保持力が弱いため、カバー装着用クリップ２と連結する電線装着用クリップ４を設けることはカバー本体１の位置ずれを抑制する上で有効である。
【００３２】
尚、カバー装着用クリップ２と電線装着用クリップ４との連結手段は、上述したゴム状又はバネ状の連結部材１７に限らず、クリップ間の距離を調節可能なロッド等によって連結させてもよい。
【００３３】
図５及び図６において、他の構成例が示されており、この例においては、カバー装着用クリップ２がカバー本体１に対して変位可能に一体的に取り付けられている。カバー本体１を構成するそれぞれのカバー部材５，６の外側面には、カバー装着用クリップ２の挟持片９，１０を移動可能に挿通させる挿通孔２１が形成された突部２２が形成されている。この例においては、カバー装着用クリップ２がカバー本体１の前後に２つ設けられており、これに対応してそれぞれのカバー部材５，６にも挟持片９，１０を挿通させる突部２２が前後に２つずつ形成されている。
【００３４】
特に、この例においては、カバー装着用クリップ２の挟持片先端部に形成される拡開誘導部９ａ，１０ａが、図６（ａ）に示されるように、カバー部材５，６の開状態を保持できるように形成されており、また拡開誘導部９ａ，１０ａの先端のフランジ部９ｃ，１０ｃによりカバー装着用クリップ２の脱落を防止するようにしている。
尚、他の構成は、前記構成例と同様であるので、同一箇所に同一符号を付して説明を省略する。
【００３５】
このような構成において、絶縁カバー装置を送配電線３の所定箇所に取り付けるには、図６（ａ）に示されるように、カバー装着用クリップ２を拡開誘導部９ａ，１０ａの先端のフランジ部９ｃ、１０ｃが突部２２に当接するまでカバー本体１の上方へ引き上げる。すると、カバー部材５，６がカバー装着用クリップ２の拡開誘導部９ａ，１０ａにより開かれると共にカバー装着用クリップ２はその挟持片９，１０が狭められる方向へ弾性変形し、この弾性力によりカバー部材５，６の開状態が保持される。
【００３６】
そして、この状態でカバー本体１を送配電線３の所定箇所を覆うようにあてがい、カバー装着用クリップ２を押し下げてカバー本体１に対して下方へスライドさせると、図６（ｂ）に示されるように、拡開誘導部９ａ，１０ａが突部２２から離れ、挟持片９，１０は、対をなすカバー部材５，６を弾性的に挟持するようになる。
【００３７】
したがって、この構成においては、カバー装着用クリップ２がカバー本体１に対して変位可能に一体的に設けられているので、絶縁カバー装置の取付け作業時においてカバー本体１又はカバー装着用クリップ２の一方が過不足することがなくなり、また、カバー装着用クリップ２の取付作業が一層容易となる。特に拡開誘導部９ａ，１０ａにより開状態が保持されるので、送配電線３への取り付けも容易となり、また、カバー装着用クリップ２の脱落がフランジ部９ｃ、１０ｃにより防止されるので、作業中にカバー装着用クリップ２が落下して種々の事故が生じる恐れもなくなる。
【００３８】
上述したカバー装着用クリップ２がカバー本体１に一体的に設けられる構成は、上述の構成に限定されるものではなく、図７に示されるように、１つの幅広のカバー装着用クリップ２をカバー本体１の広範囲に亘って設けるようにしてもよい。
【００３９】
また、前記図１や図４で示すようなカバー装着用クリップと前記図５や図７で示すようなカバー本体に一体化されたカバー装着用クリップとを組み合わせて用いるようにしても良い。例えば、図８に示されるように、カバー本体１を引留クランプカバーとして構成する場合には、本線３０を導入する本線開口部２３の周壁に、第１のカバー装着用クリップ２４をカバー部材５，６のそれぞれに形成された突部２２の挿通孔２１に変位可能に挿通させてカバー本体１に一体的に取り付け、縁回し線３１を導入する縁回し線開口部２５の周壁、及び、耐張碍子の支持金具３２をカバーする碍子用開口部２６の周壁に、第２及び第３のカバー装着用クリップ２７，２８を対をなすカバー部材５，６を挟み込むように側方からスライドさせて取り付けるようにしてもよい。
【００４０】
図９及び図１０において、他の構成例が示されており、この例においてカバー装着用クリップ２は、カバー本体１が取り付けられる送配電線３の軸方向にスライドさせてカバー本体１に着脱されるもので、上端部の連結部８により連結された合成樹脂等で構成された一対の対向する挟持片９，１０を有し、それぞれの挟持片９，１０は、カバー装着用クリップ２をカバー本体１に装着させるスライド方向に対して後方側へ向かうにつれて間隔が徐々狭められるように厚みが徐々に大きく形成されている。
【００４１】
挟持片９，１０は、カバー本体１の側面を上部から下部にかけて覆う程度の大きさに形成され、連結部８を支点として弾性的に拡がるようになっている。また、少なくとも一方の挟持片９の外表面には、絶縁ヤットコ等の間接活線工具によって把持可能な被把持部３３が突出形成されている。
【００４２】
このような構成においては、カバー本体１を送配電線３の所定箇所に取り付けた後に、間接活線工具により被把持部３３をつまんでカバー装着用クリップ２をカバー本体１の近傍において上方から送配電線３に被せ、送配電線３を挟持片９，１０間に配置する。しかる後にカバー装着用クリップ２をカバー本体１に向けて送配電線３に沿ってスライドさせ、カバー本体１の表面に移動させる。すると、挟持片９，１０はスライド方向の後端側が徐々に肉厚となって挟持片間が徐々に狭められているので、カバー装着用クリップ２は、対をなすカバー部材５，６を挟持片９，１０によって挟持した状態でカバー本体１に装着される。
【００４３】
このような構成においても、カバー装着用クリップ２をスライドさせて挟持片９，１０によって対をなすカバー部材５，６を挟み込むようにしたので、送配電線３が風などによって振動しても、対をなすカバー部材５，６はカバー装着用クリップ２によって開くことがなくなり、充電部が露出することがなくなる。このため、充電部の露出に起因する鳥獣による地絡等の送配電線事故の発生を抑制することが可能となる。しかも、カバー本体１に対してカバー装着用クリップ２をスライドさせて取り付けるようにしたので、間接活線作業が容易に行える。
尚、この構成においても、前述した電線装着用クリップ４をカバー装着用クリップ２に連結して送配電線３に装着させるようにし、カバー本体１の位置ずれを防ぐようにしてもよい。
【００４４】
図１１乃至図１４において、カバー本体１とカバー装着用クリップ２の少なくとも一方に、カバー装着用クリップを所定の装着方向へ案内するガイド手段を設けるようにした構成が示されている。
【００４５】
このうち、図１１及び１２で示される例は、それぞれのカバー部材５，６の外側面にカバー装着用クリップ２の装着方向（例えば、上下方向）に延びるＩ字状またはＴ字状（この例では、Ｉ字状）に形成された係合凸部を形成し、これに対してカバー装着用クリップ２のそれぞれの挟持片９，１０の内側面に前記係合凸部３５と係合する対をなすガイドレール３６を装着方向（挟持片の長手方向）に形成するようにしている。
【００４６】
このような構成においては、ケース本体１を送配電線３の所定箇所に取り付けた後に、カバー部材５，６の係合凸部３５を挟持片９，１０のガイドレール３６に挿入するようカバー装着用クリップ２を上方からカバー本体１にあてがい、その上でカバー装着用クリップ２を係合凸部３５の延設方向へスライドさせれば、カバー装着用クリップ２がカバー本体１の所定箇所に装着される。
【００４７】
また、図１３及び１４で示される例は、それぞれのカバー部材５，６の外側面にカバー装着用クリップ２の側縁を挿入可能な対をなすガイド溝３７が形成された対をなすガイドレール３８がカバー装着用クリップ２の装着方向（例えば、上下方向）に延設されている。
【００４８】
このような構成においては、ケース本体１を送配電線３の所定箇所に取り付けた後に、
カバー部材５，６のガイドレール３８のガイド溝３７に挟持片９，１０を挿入するようカバー装着用クリップ２を上方からカバー本体１にあてがい、その上でカバー装着用クリップ２をガイドレール３８の延設方向へスライドさせれば、カバー装着用クリップ２がカバー本体１の所定箇所に装着される。
【００４９】
したがって、図１１乃至１４に示される構成においては、前述した効果に加え、カバー装着用クリップ２の位置決めが容易に行えると共に、カバー装着用クリップ２の装着位置を誤ることがなくなる。
【図面の簡単な説明】
【００５０】
【図１】図１は、本発明にかかる絶縁カバー装置の構成例を示す斜視図であり、カバー本体を送配電線の分岐部を覆う絶縁性の分岐スリーブカバーとして構成した場合を示す。
【図２】図２は、図１で示す絶縁カバー装置に用いられたカバー装着用クリップと電線装着用クリップを示す図であり、（ａ）はカバー装着用クリップの単品図、（ｂ）は電線装着用クリップの単品図、（ｃ）はカバー装着用クリップと電線装着用クリップとを連結部材を介して連結した状態を示す図である。
【図３】図３は、図１で示す絶縁カバー装置の取り付け手順を説明する斜視図である。
【図４】図４は、本発明にかかる絶縁カバー装置の他の構成例を示す斜視図であり、カバー本体を送配電線の露出充電部を覆う絶縁電線カバーとして構成した場合を示す。
【図５】図５は、本発明にかかる絶縁カバー装置の他の構成例を示す斜視図であり、複数のカバー装着用クリップ２がカバー本体１に対して変位可能に一体的に取り付けられている例を示す。
【図６】図６は、図５で示す絶縁カバー装置のカバー本体の開閉状態を示す図であり、（ａ）はカバー本体の開状態を示し、（ｂ）はカバー本体の閉状態を示す図である。
【図７】図７は、本発明にかかる絶縁カバー装置の他の構成例を示す斜視図であり、幅広の１つのカバー装着用クリップ２がカバー本体１に対して変位可能に一体的に取り付けられている例を示す。
【図８】図８は、本発明にかかる絶縁カバー装置の他の構成例を示す斜視図であり、カバー本体１を引留クランプカバーとして構成した場合を示す。
【図９】図９は、本発明にかかる絶縁カバー装置の他の構成例を示す斜視図であり、カバー装着用クリップを送配電線の軸方向にスライドさせて装着する構成を示す図である。
【図１０】図１０は、図９に示す絶縁カバー装置に用いられるカバー装着用クリップを示す図であり、（ａ）はその正面図、（ｂ）はその側面図である。
【図１１】図１１は、本発明にかかる絶縁カバー装置の他の構成例を示す斜視図であり、カバー本体に係合凸部を設け、カバー装着用クリップに係合凸部と係合するガイドレールを設けた例を示し、カバー本体にカバー装着用クリップを取り付ける前の状態を示す。
【図１２】図１２は、図１１で示すカバー装着用クリップをカバー本体に取り付けた状態を示す図であり、（ａ）はその側面図、（ｂ）は（ａ）のＡ−Ａ線で切断して上方から見た図である。
【図１３】図１３は、本発明にかかる絶縁カバー装置の他の構成例を示す斜視図であり、カバー本体にカバー装着用クリップを挿入するガイドレールを設けた例を示し、カバー本体にカバー装着用クリップを取り付ける前の状態を示す。
【図１４】図１４は、図１３で示すカバー装着用クリップをカバー本体に取り付けた状態を示す図であり、（ａ）はその側面図、（ｂ）は（ａ）のＢ−Ｂ線で切断して上方から見た図である。
【符号の説明】
【００５１】
１  カバー本体
２  カバー装着用クリップ
３  送配電線
４  電線装着用クリップ
５，６  カバー部材
７  ヒンジ部
９，１０  挟持片
９ａ，１０ａ  拡開誘導部
１２ｂ，１２ｃ，１２ｄ，１３ｂ，１３ｃ，１３ｄ  把持部
２２  突部
３５  係合凸部
３６、３８  ガイドレール
３７  ガイド溝
【図１】
2008263664.tif 000003
【図２】
2008263664.tif 000004
【図３】
2008263664.tif 000005
【図４】
2008263664.tif 000006
【図５】
2008263664.tif 000007
【図６】
2008263664.tif 000008
【図７】
2008263664.tif 000009
【図８】
2008263664.tif 000010
【図９】
2008263664.tif 000011
【図１０】
2008263664.tif 000012
【図１１】
2008263664.tif 000013
【図１２】
2008263664.tif 000014
【図１３】
2008263664.tif 000015
【図１４】
2008263664.tif 000016